(57)【要約】【課題】  電源ユニットを内蔵しても分離しても使用できるようにする。【解決手段】  電源ユニット３２が電源ケース３２ａを備え、その両側の側壁部に折曲自在なヒンジ部を介して取付片３２ｂが形成されている。電源ユニット３２を筐体に収納する場合は、取付片３２ｂを収納溝３２ｆ内に収納することにより、その占有面積を小さくすることができる。電源ユニット３２を筐体から分離して使用する際には取付片３２ｂを収納溝３２ｆからはずして展開し、挿通孔３２ｄにネジを挿通して被取付体に螺着することにより、電源ユニット３２を被取付体に固着する。【選択図】  図５
2005276937.tif 000002
【特許請求の範囲】
【請求項１】
光ケーブルにより伝達された光信号を電気信号に変換して出力する光受信部を少なくとも有する電子回路ユニットと、
該電子回路ユニットに電源を供給する電源ユニットと、
本体部と、該本体部に対して開閉自在に固着される蓋部とからなり、前記電源ユニットが着脱可能に収納されると共に前記電子回路ユニットが収納される筐体とを備え、
前記電源ユニットの両側に一対の取付片が折り畳まれて収納されており、前記電源ユニットを前記筐体から取り出して固着する際に前記一対の取付片を展開するようにしたことを特徴とする光端末装置。
【請求項２】
前記電源ユニットの前記一対の取付片の一辺がヒンジ部により前記電源ユニットに折り曲げ自在に連結されて、前記電源ユニットの両側に形成されている収納溝内にそれぞれ収納可能とされており、前記取付片の周側面に前記収納溝の側面に係合する凸状の係合手段が形成されていることを特徴とする請求項１記載の光端末装置。
【請求項３】
前記電源ユニットの前記一対の取付片の一辺がヒンジ部により前記電源ユニットに折り曲げ自在に連結されて、前記電源ユニットの両側に形成されている収納溝内にそれぞれ収納可能とされており、前記取付片の一面に前記収納溝の段差部に係合する鉤状の係合手段が形成されていることを特徴とする請求項１記載の光端末装置。
【発明の詳細な説明】
【技術分野】
【０００１】
本発明は、光信号を電気信号に変換する電子回路ユニットと、電子回路ユニットに電源を供給する電源ユニットを備える光端末装置に関するものである。
【背景技術】
【０００２】
近年、高速高帯域通信サービスの普及に伴い、家庭と送信局との間を光ケーブルで接続する通信サービス、例えば、光ケーブルテレビジョン（ＣＡＴＶ）が実施されている。この通信サービスの実現には、光ケーブルからの光信号を光−電気信号変換して増幅し、増幅された周波数多重信号をセットトップボックスや同軸のＣＡＴＶ線路に供給するための光端末装置が必要となる。この光端末装置の筐体内には、導入される光ケーブルの余長を収納する余長収納部と、導入された光ケーブルからの光信号を電気信号に変換し、増幅して出力する電子回路ユニットが設けられている。そして、この電子回路ユニットに電源を供給する電源ユニットが光端末装置の筐体に内蔵されている。
【発明の開示】
【発明が解決しようとする課題】
【０００３】
電源ユニットは商用交流を受けて直流電圧に変換し電子回路ユニットに電源を供給している。このため、電源ユニットからは商用交流のコンセントに差し込むプラグが先端に設けられたケーブルが導出されている。ところで、光端末装置が設置される場合に、設置場所の近傍に商用交流のコンセントがある場合は、そのコンセントを利用して光端末装置に内蔵されている電源ユニットから直流電圧を電子回路ユニットに供給しているが、近傍に商用交流のコンセントがない場合は、電源ユニットを商用交流のコンセントがある離れた屋内等の場所に設置して、電源ユニットから出力される直流電圧をケーブルを介して光端末装置に内蔵されている電子回路ユニットに供給するようにしていた。このように、光端末装置内に内蔵した電源ユニットから直流電源を供給する構成と、光端末装置から離れた場所（屋内）に設けた電源ユニットからケーブルを介して光端末装置に直流電源を供給する構成とのいずれかが用いられている。
【０００４】
従って、光端末装置として電源ユニットが内蔵されているタイプと、電源ユニットが分離されて内蔵されていないタイプとの２タイプの製品を用意しなければならないことになる。このため、製品が高コストになると共に在庫管理等の経費が高コストになるという問題点があった。また、工事業者は現場対応となるため２タイプの増幅器を現場に搬入しておかなければならず、部材の確認など作業が煩雑になるという問題点があった。
【０００５】
そこで、本発明は、電源ユニットを内蔵して使用することができると共に分離しても使用することができる光端末装置を提供することを目的としている。
【課題を解決するための手段】
【０００６】
上記目的を達成するために、本発明の光端末装置は、筐体に電源ユニットが着脱可能に収納され、電源ユニットを筐体から取り出して固着する際に折り畳まれて収納されていた一対の取付片を展開することを最も主要な特徴としている。
【発明の効果】
【０００７】
筐体に電源ユニットが着脱可能に収納され、電源ユニットを筐体から取り出して固着する際に折り畳まれて収納されていた一対の取付片を展開するようにしたので、電源ユニットを内蔵して使用することができると共に分離しても使用することができる。この場合、一対の取付片は折り畳まれて電源ユニットに収納されるため、筐体内に占める電源ユニットの占有スペースを小さくすることができ、筐体内のスペースを有効に利用することができるようになる。
【発明を実施するための最良の形態】
【０００８】
電源ユニットを内蔵して使用することができると共に分離しても使用することができる光端末装置を提供するという目的を、筐体に電源ユニットが着脱可能に収納され、電源ユニットを筐体から取り出して固着する際に折り畳まれて収納されていた一対の取付片を展開することにより実現した。
【０００９】
本発明にかかる光端末装置の実施例の構成を示す斜視図を図１に示す。
図１に示す本発明にかかる光端末装置１の筐体は、箱状の本体部２と、本体部２に対して開閉自在に固着される蓋部３とから構成されている。筐体である本体部２および蓋部３は樹脂を成形することにより作成されており、蓋部３の上部の両側に形成されている一対の保持片２１が本体部２に形成されている枢軸に回動可能に枢支されて、蓋部３が本体部２に対して開閉自在に固着されている。蓋部３を本体部２に対して閉じた際には、蓋部３から複数本のネジを本体部２に螺着することにより防滴構造の筐体が構成される。この場合、蓋部３における対向する側壁部の下縁が本体部２の対向する側壁部の縁部に嵌入されるようになる。本体部２には、後述するように光信号を電気信号に変換して増幅する電子回路ユニットと、電子回路ユニットに電源を供給する電源ユニットが着脱可能に内蔵されている。
【００１０】
光端末装置１は、保持片２１側を上にして直立して設置されるようになり、本体部２の上部には後述する取付片１５ａが上方へ延伸して形成されており、本体部２の下部に一対の取付片１５ｂ、１５ｃが下方へ延伸して形成されている。そこで、光端末装置１を直立させて取付面に対向して配置し、これらの取付片１５ａ、１５ｂ、１５ｃにネジを挿通して取付面に螺着することにより光端末装置１を直立して設置できるようになる。このように直立して設置される光端末装置１における蓋部３の下側の壁部には、第１通風口１１とケーブル導入孔１３ａ、１３ｂが形成されている。第１通風口１１は、本体部２と蓋部３とからなる筐体内に内蔵されている電子回路ユニットを放熱するための空気取り入れ口として機能する。壁部の両側にそれぞれ形成されているケーブル導入孔１３ａ、１３ｂにはメッセンジャワイヤーや複数本の光ファイバーを束ねた太い光ケーブル４ａと、単線の光ファイバーからなる細い光ケーブル４ｂを導入することができる。図示する例では、ケーブル導入孔１３ａに光ケーブル４ａと光ケーブル４ｂとが導入されている。
【００１１】
また、直立して設置される光端末装置１における本体部２の下側の壁部には第２通風口１２と同軸端子１４が挿入される複数の挿通孔が形成されている。第２通風口１２は、本体部２と蓋部３とからなる筐体内に内蔵されている電子回路ユニットを放熱するための空気取り入れ口として機能する。また、挿通孔には電子回路ユニットに設けられた同軸端子１４が外部へ露出するよう挿通されている。この挿通孔の周囲からは円筒状部が突出して形成されており、同軸端子１４に同軸ケーブルを接続した際に同軸ケーブルに挿通されて同軸端子１４の周囲を覆う防水キャップの先端部が円筒状部に嵌着できるようにされている。さらに、筐体内に電源ユニットが内蔵されている際に、電源ユニットから導出された商用交流を供給するための電源ケーブル５が本体部２の下側の壁部から導出されている。なお、本体部２において上側に位置する壁部は蓋部３の上側に位置する壁部に重合するようにされており、両者の間に形成された間隙により通風口が形成されている。
【００１２】
次に、本体部２に対して蓋部３を開けた状態の光端末装置１の構成を示す斜視図を図２に示す。ただし、この図では導入される光ケーブルを省略して示している。
図２に示すように、蓋部３に形成されている保持片２１は、本体部２の側壁の上部に形成されている枢軸に枢支されており、枢軸を軸として回転されて蓋部３を図２に示すように開けることができるようにされている。本体部２に対して蓋部３を開けると、本体部２に収納されているトレイ部６が見える状態となる。蓋部３の両側の側壁部の下部には図示するように横方向に張り出す当接部が形成されており、その下の下縁は若干薄く形成されている。この下縁が、蓋部３を閉じた際に本体部２の側壁部の上部に嵌入されて防滴構造とされる。なお、蓋部３を閉じた際には、上記当接部が本体部２の側壁部の上端に当接する。本体部２における下側に位置する側壁部には複数の第１通風口１１が形成されており、電子回路ユニット３１から突出している同軸端子１４が、この側壁部に形成されている挿通孔から突出している。また、電源ユニットから導出された商用交流を供給するための電源ケーブル５が本体部２の下側に位置する側壁部から導出されている。
【００１３】
本体部２内に配置された樹脂成形されたトレイ部６の下に電子回路ユニットと電源ユニットとを内蔵できるようにされている。このトレイ部６は光端末装置１に導入された光ケーブル４ａおよび光ケーブル４ｂの導入部および余長収納部が形成されている。光ケーブルの余長部を収納する余長収納部を設けるのは次の理由による。光ケーブル長に余裕を持たせる余長部を設けることによって、光ケーブルを長く延ばすような接続変更等にそのまま対応することができる。また、光ケーブルの接続作業で低損失接続が得られなかった場合に、光ケーブルの接続端を切断してやり直しすることができる。さらに、保守作業等で光ケーブルを傷めた場合でも損傷部分までを切断して再接続を可能とすることができる。なお、光ケーブルは、曲げすぎると伝送特性が劣化し極端な場合には破断されるため、光ケーブルの余長は、所定の曲げ半径を保つようにして余長収納部に収納されている。
【００１４】
また、トレイ部６には、図示するように左側と右側にそれぞれケーブル導入孔１３ａ、１３ｂから導入された光ケーブルを固着するケーブル挟着部４０が形成されている。このケーブル挟着部４０は鋸歯状の突起が相対向して２組形成されており、この間にメッセンジャワイヤーや複数本の光ファイバーを束ねた太い光ケーブル４ａを挟み込むことにより光ケーブル４ａを固着することができる。また、細い光ケーブル４ｂは２組形成されているケーブル挟着部４０の間に細い光ケーブルをブッシュに挟着した状態で挟持されることにより固着される。
【００１５】
さらに、トレイ部６にはドラム部４１とドラム部４２の２つの楕円形状のドラム部が形成されていると共に、円弧状に形成されている複数のガイド部４３とガイド部４４が形成されている。これらのドラム部４１，４２とガイド部４３，４４により余長収納部が形成されている。すなわち、ケーブル導入孔１３ａ、１３ｂから導入された光ケーブル４ａ、４ｂの余長部は、ドラム部４１，４２とガイド部４３，４４に巻き付けられたり沿わせられたりして所定の曲げ半径を保つようにして余長収納部に収納される。この場合、ドラム部４１，４２とガイド部４３，４４から光ケーブル４ａ、４ｂがはずれないように、ドラム部４１，４２とガイド部４３，４４の所定部位にひさし状に張り出す押さえ片が複数形成されている。光ケーブル４ａ、４ｂの余長をドラム部４１，４２とガイド部４３，４４に巻き付ける際に８の字状に巻き付けるようにして、ケーブル導入孔１３ａ、１３ｂから導入した光ケーブル４ａ、４ｂをケーブル導入孔１３ａ、１３ｂから導出して光受信機能を備える他の光端末装置に導入することもできる。さらに、トレイ部６には光ケーブル４ａ、４ｂにおける光ファイバーに装着される装着器を保持する保持部４６が形成されている。さらにまた、光ケーブル４ａ、４ｂの先端に装着されている光コネクタを差し込むコネクタ受部４８が見えているが、このコネクタ受部４８は電子回路ユニットに取り付けられている。
【００１６】
次に、本体部２から蓋部３を取り外すと共にトレイ部６を取り去った状態の光端末装置１の構成を示す斜視図を図３に示す。
図３に示すように、本体部２の上部には取付片１５ａが上方へ延伸して形成されている。本体部２における下側に位置する側壁部には複数の第１通風口１１とケーブル導入孔１３ａ、１３ｂが形成されており、電子回路ユニット３１から突出している同軸端子１４が、この側壁部に形成されている挿通孔から突出している。電子回路ユニット３１において光信号から電気信号に変換されて増幅された信号が、この同軸端子１４の一方から出力されるようになる。この一方の同軸端子１４には、電源ユニット３２から直流電圧が供給されるようになり、この直流電圧が電子回路ユニット３１に供給される。本体部２における上側に位置する側壁部の両側には断面略円形の一対の枢軸１９が突出するよう形成されており、この枢軸１９に蓋部３の上部両側に形成されている保持片２１が嵌着されて枢支されることにより、枢軸１９を回転軸として蓋部３を本体部２に対して開閉することができるようになる。
【００１７】
本体部２からトレイ部６を取り去ると、シャーシ３０に取り付けられて収納されている電子回路ユニット３１と電源ユニット３２とが見えるようになる。電子回路ユニット３１は、内部の光受信部に光信号を導くためのコネクタ受部４８が取り付けられており、このコネクタ受部４８に導入された光ケーブルの先端に装着される光コネクタが差し込まれるようになる。電源ユニット３２は、本体部２から分離できるように着脱可能に本体部２に取り付けられている。この電源ユニット３２の上部は両側がカットされて放熱用の通路を形成している。また、電源ユニット３２から導出された商用交流を供給するための電源ケーブル５が本体部２の下側に位置する側壁部から導出されている。
【００１８】
次に、本発明の光端末装置１において特徴的な電源ユニット３２の構成を図４ないし図６に示す。ただし、図４は電源ユニット３２を本体部２に収納する状態の構成を示す斜視図であり、図５は電源ユニット３２を本体部２から分離して設置する状態の構成を示す斜視図であり、図６はその際の電源ユニット３２の構成を示す背面の斜視図である。
これらの図に示すように、電源ユニット３２は樹脂製の電源ケース３２ａを備えており、電源ケース３２ａの下面には２つの同軸端子３３が突出するよう設けられていると共に、商用交流を供給するための電源ケーブル５がエラストマー等の柔軟な材質のブッシュ５ａを介して導出されている。２つの同軸端子３３の内の一方からは電子回路ユニット３１に供給する直流電圧が出力される。また、この一方の同軸端子３３に電子回路ユニット３１から入力された信号は、他方の同軸端子３３から出力されるようになる。
【００１９】
この電源ケース３２ａの両側の側壁部にそれぞれ一対の突部３２ｅが形成されている。この突部３２ｅは、電源ユニット３２を本体部２内に収納した際に、本体部２の両側の側壁部に係合することにより電源ユニット３２が安定して本体部２内に収納されるようになる。また、両側の側壁部における一対の突部３２ｅの間に矩形状の収納溝３２ｆが形成されている。この収納溝３２ｆの中には電源ケース３２ａに一体に形成されている矩形状の取付片３２ｂが収納可能とされている。
【００２０】
この取付片３２ｂは電源ユニット３２の両側の側壁部に設けられており、ほぼ中央に挿通孔３２ｄが形成されていると共に、上端のほぼ中央を切り欠いた細長い切欠部３２ｃが図示するように形成されている。この取付片３２ｂの下辺は折曲自在なヒンジ部を介して電源ケース３２ａに一体に形成されている。電源ユニット３２を本体部２に収納する際には、取付片３２ｂがヒンジ部により折り畳まれて収納溝３２ｆ内に収納される。これにより、電源ユニット３２の側壁部から取付片３２ｂが突出しないようになり、電源ユニット３２の本体部２内にしめる占有面積を小さくすることができ、本体部２と蓋部３とで構成される筐体内のスペースを有効に活用することができる。また、電源ユニット３２を本体部２から分離して設置する場合は、本体部２内から取り外した電源ユニット３２において、両側の側壁部に設けられている取付片３２ｂの切欠部３２ｃにドライバの先端等を差し入れて取付片３２ｂを収納溝３２ｆからはずれるように起こす。そして、取付片３２ｂの面が図５および図６に示すように裏面とほぼ平行になるように展開する。次いで、両側の取付片３２ｂの挿通孔３２ｄにそれぞれネジを挿通して壁等の被取付体に螺着することにより、壁等に電源ユニット３２を取り付けることができる。
【００２１】
ここで、電源ユニット３２の取付片３２ｂが形成されている部位を拡大して断面図で図７および図８に示す。これらの図や図５および図６に示すように、取付片３２ｂの先端の切欠部３２ｃの両側に一対の係合突起３２ｇが形成されている。取付片３２ｂは厚さが薄く形成された折曲自在なヒンジ部３２ｈにより電源ケース３２ａに一体とされている。この取付片３２ｂを収納溝３２ｆに収納するようヒンジ部３２ｈを回転軸として折り曲げることにより、取付片３２ｂを収納溝３２ｆに収納することができる。収納した際に、図８に示すように取付片３２ｂの先端の上面に形成されている一対の係合突起３２ｇが、収納溝３２ｆの側面にくさび状の断面形状で形成されている係合部３２ｉに係合するようになる。これにより、取付片３２ｂを確実に収納溝３２ｆ内に保持することができる。
【００２２】
次に、本体部２に電源ユニット３２を収納した際の光端末装置１の使用態様を図１２に示し、本体部２から電源ユニット３２を分離して外部に設置した際の光端末装置１の使用態様を図１３に示す。
図１２に示すように、本体部２に電源ユニット３２を収納した際には、光ケーブル４ａ（４ｂ）が光端末装置１に導入されると共に、同軸端子１４の一方に同軸ケーブル５０が接続される。また、光端末装置１から導出されている電源ケーブル５は商用交流のコンセントに差し込まれてＡＣ１００Ｖが電源ユニット３２に供給されるようになる。この場合、光端末装置１内に電源ユニット３２が収納された際に、電源ユニット３２から突出して設けられている２つの同軸端子３３が電子回路ユニット３１の上部から電子回路ユニット３１内に挿入されるようになる。これにより、電源ユニット３２の同軸端子３３の一方から出力される直流電圧が、電子回路ユニット３１に供給されて動作するようになる。そこで、電子回路ユニット３１に光ケーブル４ａ（４ｂ）を介して入力された光信号が、電気信号に変換されて増幅され同軸端子１４の一方から出力されて、同軸ケーブル５０を介して出力されるようになる。
【００２３】
図１３に示すように、本体部２から電源ユニット３２を分離して外部に設置した際には、光ケーブル４ａ（４ｂ）が光端末装置１に導入されると共に、同軸端子１４の一方に接続された同軸ケーブル５１の他端が外部に設置された電源ユニット３２の一方の同軸端子３３に接続される。また、電源ユニット３２の他方の同軸端子３３には同軸ケーブル５０が接続される。さらに、電源ユニット３２から導出されている電源ケーブル５は商用交流のコンセントに差し込まれてＡＣ１００Ｖが供給されるようになる。この場合、電源ユニット３２から突出して設けられている２つの同軸端子３３の一方から出力された直流電圧が、同軸ケーブル５１を介して光端末装置１の同軸端子１４の一方に供給される。この同軸端子１４に供給された直流電圧は、電子回路ユニット３１に供給されて動作するようになる。そこで、電子回路ユニット３１に光ケーブル４ａ（４ｂ）を介して入力された光信号が、電気信号に変換されて増幅され同軸端子１４の一方から出力されて、同軸ケーブル５１を介して電源ユニット３２に供給される。この信号は、同軸端子３３の他方から出力されて、同軸ケーブル５０を介して出力されるようになる。このように、同軸ケーブル５１には信号と直流電圧とが重畳されるようになる。
【００２４】
次に、電源ユニット３２の両側の側壁部に形成されている取付片の他の実施例の構成を図９および図１０に示す。図９および図１０には、電源ユニット３２の取付片３２ｂ’が形成されている部位を拡大して断面図で示されている。これらの図に示すように、取付片３２ｂ’の内側の面から略直交する方向に先端が鉤状とされた係合爪部３２ｊが突出するよう形成されている。また、電源ケース３２ａ’の収納溝３２ｆ’に側壁部が段違いとなる係合段差部３２ｋが形成されている。取付片３２ｂ’は厚さが薄く形成された折曲自在なヒンジ部３２ｈ’により電源ケース３２ａ’に一体とされている。この取付片３２ｂ’を収納溝３２ｆ’に収納するようヒンジ部３２ｈ’を回転軸として折り曲げることにより、取付片３２ｂ’を収納溝３２ｆ’に収納することができる。収納した際に、取付片３２ｂ’の上面に形成されている係合爪部３２ｊの先端の鉤状の部位が、収納溝３２ｆ’に形成されている係合段差部３２ｋに図１０に示すように係合するようになる。これにより、取付片３２ｂ’を確実に収納溝３２ｆ’内に保持することができる。
【００２５】
さらに、電源ユニット３２の両側の側壁部に形成されている取付片のさらに他の実施例の構成を図１１に示す。図１１には、電源ユニット３２の取付片３２ｂ”が形成されている部位が拡大して示されている。この図に示すように、取付片３２ｂ”の両側壁に半球状の係合凸部３２ｍがそれぞれ形成されている。取付片３２ｂ”は厚さが薄く形成された折曲自在なヒンジ部３２ｈ”により電源ケース３２ａ”に一体とされている。この取付片３２ｂ”を収納溝３２ｆ”に収納するようヒンジ部３２ｈ”を回転軸として折り曲げることにより、取付片３２ｂ”を収納溝３２ｆ”に収納することができる。収納した際に、取付片３２ｂ”の両側壁に形成されている係合凸部３２ｍが、収納溝３２ｆ”の側面に係合するようになる。これにより、取付片３２ｂ”を確実に収納溝３２ｆ”内に保持することができる。
【産業上の利用可能性】
【００２６】
以上の説明では、電源ユニットを備える装置は光端末装置としたが、本発明はこれに限るものではなく同軸ケーブルに接続される端末装置に適用することができる。
【図面の簡単な説明】
【００２７】
【図１】本発明にかかる光端末装置の実施例の構成を示す斜視図である。
【図２】本発明にかかる光端末装置において本体部に対して蓋部を開けた状態の構成を示す斜視図である。
【図３】本発明にかかる光端末装置において本体部から蓋部を取り外すと共にトレイ部を取り去った状態の構成を示す斜視図である。
【図４】本発明の光端末装置における電源ユニットを本体部に収納する状態の構成を示す斜視図である。
【図５】本発明の光端末装置における電源ユニットを本体部から分離して設置する状態の構成を示す斜視図である。
【図６】本発明の光端末装置における電源ユニットを本体部から分離して設置する状態の構成を示す背面の斜視図である。
【図７】本発明の光端末装置における取付片を展開した電源ユニットの一部を拡大して示す断面図である。
【図８】本発明の光端末装置における取付片を折り畳んだ電源ユニットの一部を拡大して示す断面図である。
【図９】本発明の光端末装置における他の実施例の取付片を展開した電源ユニットの一部を拡大して示す断面図である。
【図１０】本発明の光端末装置における他の実施例の取付片を折り畳んだ電源ユニットの一部を拡大して示す断面図である。
【図１１】本発明の光端末装置におけるさらに他の実施例の取付片を展開した電源ユニットの一部を拡大して示す断面図である。
【図１２】本発明の光端末装置における本体部に電源ユニットを収納した際の光端末装置の使用態様を示す図である。
【図１３】本発明の光端末装置における本体部から電源ユニットを分離して外部に設置した際の光端末装置の使用態様を示す図である。
【符号の説明】
【００２８】
１  光端末装置、２  本体部、３  蓋部、４ａ  光ケーブル、４ｂ  光ケーブル、５  電源ケーブル、５ａ  ブッシュ、６  トレイ部、１１  第１通風口、１２  第２通風口、１３ａ，１３ｂ  ケーブル導入孔、１４  同軸端子、１５ａ，１５ｂ，１５ｃ  取付片、１９  枢軸、２１  保持片、３０  シャーシ、３１  電子回路ユニット、３２  電源ユニット、３２ａ  電源ケース、３２ｂ  取付片、３２ｃ  切欠部、３２ｄ  挿通孔、３２ｅ  突部、３２ｆ  収納溝、３２ｇ  係合突起、３２ｈ  ヒンジ部、３２ｉ  係合部、３２ｊ  係合爪部、３２ｋ  係合段差部、３２ｍ  係合凸部、３３  同軸端子、４０  ケーブル挟着部、４１，４２  ドラム部、４３，４４  ガイド部、４６  保持部、４８  コネクタ受部、５０  同軸ケーブル、５１  同軸ケーブル
【図１】
2005276937.tif 000003
【図２】
2005276937.tif 000004
【図３】
2005276937.tif 000005
【図４】
2005276937.tif 000006
【図５】
2005276937.tif 000007
【図６】
2005276937.tif 000008
【図７】
2005276937.tif 000009
【図８】
2005276937.tif 000010
【図９】
2005276937.tif 000011
【図１０】
2005276937.tif 000012
【図１１】
2005276937.tif 000013
【図１２】
2005276937.tif 000014
【図１３】
2005276937.tif 000015